(57)【要約】      （修正有）【課題】使用者がノートブックコンピュータをカバーの中から取り出さずに直接使用することができる、良好な放熱性及び利便性を備えたノートブックコンピュータ用保護カバーの提供。【解決手段】上蓋、下蓋、連結部及び開閉部を含む。上蓋は上蓋内側及び上蓋外側を含む。下蓋は下蓋内側及び下蓋外側を含む。連結部は上蓋及び下蓋を連結する。開閉部はノートブックコンピュータ用保護カバーを開いた状態または閉じた状態にすることができる。そのうち、ノートブックコンピュータ用保護カバーがさらに下蓋内側に設置された少なくとも１つの底上げ部材を含むことを特徴とする。このほか、少なくとも１つの底上げ部材は着脱可能または高さ調節可能な形式に設計することができる。【選択図】図１
0003138562.tif 000002
【実用新案登録請求の範囲】
【請求項１】
ノートブックコンピュータを収納するために用いるノートブックコンピュータ用保護カバーであって、上蓋内側及び上蓋外側を含む上蓋と、下蓋内側及び下蓋外側を含む下蓋と、前記上蓋及び前記下蓋を連結する連結部と、前記ノートブックコンピュータ用保護カバーを開いた状態または閉じた状態にすることができる開閉部を含み、そのうち、前記ノートブックコンピュータ用保護カバーがさらに前記下蓋内側に設置された少なくとも１つの底上げ部材を含むことを特徴とする、ノートブックコンピュータ用保護カバー。
【請求項２】
前記少なくとも１つの底上げ部材の高さが０.３５センチ以上であることを特徴とする、請求項１に記載のノートブックコンピュータ用保護カバー。
【請求項３】
前記少なくとも１つの底上げ部材が着脱可能であることを特徴とする、請求項１に記載のノートブックコンピュータ用保護カバー。
【請求項４】
前記少なくとも１つの底上げ部材の高さが０.１５センチ以上であることを特徴とする、請求項３に記載のノートブックコンピュータ用保護カバー。
【請求項５】
前記少なくとも１つの底上げ部材が面ファスナーを利用して前記下蓋内側に固定されることを特徴とする、請求項３に記載のノートブックコンピュータ用保護カバー。
【請求項６】
前記少なくとも１つの底上げ部材の高さが変化可能であることを特徴とする、請求項３に記載のノートブックコンピュータ用保護カバー。
【請求項７】
前記少なくとも１つの底上げ部材の高さが０.１センチ以上であることを特徴とする、請求項６に記載のノートブックコンピュータ用保護カバー。
【請求項８】
前記少なくとも１つの底上げ部材の高さが変化可能であることを特徴とする、請求項１に記載のノートブックコンピュータ用保護カバー。
【請求項９】
前記少なくとも１つの底上げ部材の高さが０.１センチ以上であることを特徴とする、請求項８に記載のノートブックコンピュータ用保護カバー。
【請求項１０】
前記少なくとも１つの底上げ部材が圧縮可能な弾性部材であることを特徴とする、請求項８に記載のノートブックコンピュータ用保護カバー。
【請求項１１】
前記少なくとも１つの底上げ部材の高さが０.３５センチ以上であることを特徴とする、請求項１０に記載のノートブックコンピュータ用保護カバー。
【請求項１２】
前記連結部に開口部を開設したことを特徴とする、請求項１に記載のノートブックコンピュータ用保護カバー。
【請求項１３】
前記開口部が開閉可能であることを特徴とする、請求項１２に記載のノートブックコンピュータ用保護カバー。
【請求項１４】
前記開口部が面ファスナー部材であることを特徴とする、請求項１３に記載のノートブックコンピュータ用保護カバー。
【請求項１５】
前記上蓋内側がさらに少なくとも１つのモニタ固定部材を含むことを特徴とする、請求項１に記載のノートブックコンピュータ用保護カバー。
【請求項１６】
前記上蓋または前記下蓋がさらに放熱材質構造を含むことを特徴とする、請求項１に記載のノートブックコンピュータ用保護カバー。
【請求項１７】
前記上蓋または前記下蓋がさらに電磁波遮断材質構造を含むことを特徴とする、請求項１に記載のノートブックコンピュータ用保護カバー。
【請求項１８】
前記下蓋外側がさらに滑り止め材質構造を含むことを特徴とする、請求項１に記載のノートブックコンピュータ用保護カバー。
【考案の詳細な説明】
【技術分野】
【０００１】
本考案はノートブックコンピュータ用保護カバーに関し、特に、良好な放熱性及び利便性を備え、使用者がノートブックコンピュータをカバーから取り出す必要なく、直接使用することができる、ノートブックコンピュータ用保護カバーに関する。
【背景技術】
【０００２】
コンピュータはすでに現代人の生活において欠かせない必需品となっており、小さく軽量で薄型化が特徴のノートブックコンピュータが出現してから、携帯上の利便性と応用性が大幅に向上され、ビジネスマンや学生たちに好まれている。携帯上の利便性のため、使用者は専用の保護カバーを購入してノートブックコンピュータを入れている。ノートブックコンピュータの使用時には、良好な放熱環境を確保してコンピュータの過熱を防ぐことが重要であり、ノートブックコンピュータの放熱孔はほとんどが底部または側面部に設けられているため、一般にノートブックコンピュータを保護カバーの中に入れたままで使用すると、放熱孔がカバーによって塞がれたり、放熱空間が不足して放熱効果が低下したりしやすく、過熱でコンピュータがフリーズするといった状況が発生し、使用者にとっては大きな問題である。
【０００３】
このほか、ノートブックコンピュータの使用時に、個人的習慣や使用上の必要性の違いにより、マウスや電源、プロジェクタ、携帯型ディスクドライブ等その他周辺設備を外部接続する必要が多かれ少なかれ生じる。通常はこれら外付け周辺設備を接続することができる各種スロットや電池セットがノートブックコンピュータの後ろ側に設置されているが、保護カバーとノートブックコンピュータの間にこれら外付け周辺設備の接続ケーブルを収容するための充分な空間がないため、これらのスロットを使用したいときや電池を交換したいときにはノートブックコンピュータを保護カバーから取り出して接続や交換の動作を行なう必要があり、頻繁に取り出したり収納したりする動作を行なうことは、使用者にとって極めて不便である。
【０００４】
このため、良好な放熱性及び利便性を備えたノートブックコンピュータ用保護カバーを提供し、先行技術の問題を改善する必要がある。
【考案の開示】
【考案が解決しようとする課題】
【０００５】
本考案の主な目的は、使用者がノートブックコンピュータをカバーの中から取り出さずに直接使用することができる、良好な放熱性及び利便性を備えたノートブックコンピュータ用保護カバーを提供することにある。
【課題を解決するための手段】
【０００６】
上述の目的を達するため、本考案のノートブックコンピュータ用保護カバーは、上蓋、下蓋、連結部及び開閉部を含む。前記上蓋は上蓋内側及び上蓋外側を含む。前記下蓋は下蓋内側及び下蓋外側を含む。前記連結部は前記上蓋及び前記下蓋を連結する。前記開閉部はノートブックコンピュータ用保護カバーを開いた状態または閉じた状態にすることができる。そのうち、ノートブックコンピュータ用保護カバーがさらに下蓋内側に設置された少なくとも１つの底上げ部材を含むことを特徴とする。このほか、本考案の調整性と応用性を向上するため、前記少なくとも１つの底上げ部材は着脱自在、或いは高さ調整可能な形式に設計することができる。
【０００７】
本考案のノートブックコンピュータ用保護カバーの連結部はさらに開口部を含むことができ、前記開口部は開閉可能であり、使用者が便利にノートブックコンピュータ後ろ側の各種スロットを利用した外付け周辺設備の接続や電池の交換を行なうことができる。
【０００８】
本考案のノートブックコンピュータ用保護カバーの上蓋または下蓋はさらに、放熱材質構造を含むことができ、その熱伝導材質構造を通してノートブックコンピュータが排出する熱エネルギーを伝導し、放熱面積を増加して放熱効果を向上することができる。
【０００９】
本考案のノートブックコンピュータ用保護カバーの上蓋または下蓋はさらに、電磁波遮断材質構造を含むことができ、塗布方式で上蓋内側と外側或いは下蓋内側と外側に電磁波遮断材料を塗布するか、或いは電磁波遮断材料層を加えて使用者に対する電磁波の影響を減少することができる。
【考案の効果】
【００１０】
本考案のノートブックコンピュータ用保護カバーは、下蓋内側に設置された少なくとも１つの底上げ部材により放熱空間を形成して良好な放熱性を確保することができる。
【考案を実施するための最良の形態】
【００１１】
審査官各位に本考案の技術内容についてさらに理解していただくため、以下、いくつかの実施例に基づき詳細に説明する。
【実施例１】
【００１２】
以下、図１及び図２の本考案の実施例１を参照する。図１に本考案の実施例１を開いた状態の立体図、図２に本考案の実施例１にノートブックコンピュータ９０を入れた後の立体図をそれぞれ示す。本考案のノートブックコンピュータ用保護カバー１０は、上蓋２０、下蓋３０、連結部４０及び開閉部６０を含む。上蓋２０は上蓋内側２１及び上蓋外側２２を含む。下蓋３０は下蓋内側３１及び下蓋外側３２を含む。連結部４０は上蓋２０及び下蓋３０を連結する。開閉部６０はノートブックコンピュータ用保護カバー１０を開いた状態または閉じた状態にすることができる。そのうち、ノートブックコンピュータ用保護カバー１０はさらに下蓋内側３１に設置された少なくとも１つの底上げ部材５０を含むことを特徴とする。ノートブックコンピュータ９０をノートブックコンピュータ用保護カバー１０内に置いて使用するとき、少なくとも１つの底上げ部材５０がノートブックコンピュータ９０の底部後半区域と下蓋内側３１の距離を開き、放熱空間を形成するため、流れる空気によりノートブックコンピュータ９０が発生する熱を排出することができる。本実施例において、少なくとも１つの底上げ部材５０の高さは０.３５センチ以上に設計し、充分な放熱空間の形成を確保して良好な放熱効果を得るものとする。
【００１３】
本考案のノートブックコンピュータ用保護カバー１０の少なくとも１つの底上げ部材５０は着脱自在とする。本実施例において、少なくとも１つの底上げ部材５０は面ファスナーで下蓋内側３１に固定しており、そのうち、面ファスナーは下蓋内側３１の一部または全部に設置することができる。使用者は面ファスナーで少なくとも１つの底上げ部材５０の下蓋内側３１における設置位置を自由に調整し、少なくとも１つの底上げ部材５０がノートブックコンピュータ底部の冷却孔を塞がないようにすることができる。このほか、少なくとも１つの底上げ部材５０は異なるノートブックコンピュータの底部構造の設計に対してその設置位置を調整することができ、即ち、使用者は少なくとも１つの底上げ部材５０をノートブックコンピュータ底部の元々の底上げ機能を提供する設計箇所に対応させて設置し、ノートブックコンピュータの底上げ効果を倍増することができる。このような状態下では、少なくとも１つの底上げ部材５０の高さを０.１５センチ以上に設計し、充分な放熱空間の形成を確保して良好な放熱効果を得る。
【００１４】
ノートブックコンピュータ９０を安定した状態でノートブックコンピュータ用保護カバー１０内に置くことができるようにするため、本考案のノートブックコンピュータ用保護カバー１０は上蓋内側２１にさらに複数のモニタ固定部材２３を含み、上蓋内側２１の左右角部に設置される。ノートブックコンピュータ９０を置いた後、複数のモニタ固定部材２３を利用してノートブックコンピュータ９０のモニタを上蓋２０と結合させることができる。複数のモニタ固定部材２３は縫製、粘着または面ファスナー等の方式で上蓋内側２１に固定することができる。さらに、下蓋内側３１の４つの角部に別途複数の弾性緩衝部材を設置してもよく、これによりノートブックコンピュータ用保護カバー１０の携帯時または使用時の耐衝撃性を強化することができる。このほか、上蓋２０或いは下蓋３０に１つまたは複数のポケットを設置し、使用者が書類やコンピュータ周辺設備を収納できるようにしてもよい。
【実施例２】
【００１５】
以下、図３及び図４の本考案の実施例２を参照する。ノートブックコンピュータ用保護カバー１０aの少なくとも１つの底上げ部材５０は高さを変化させることができる形式で下蓋内側３１に設置することができる。本実施例において、少なくとも１つの底上げ部材５０は二段式折畳み面ファスナー部材５０aとし、使用者がコンピュータの高さを調整したり、放熱空間を大きくしたりする必要がある場合、二段式折畳み面ファスナー部材５０aを左右両側から中央に向かって畳み、支持高さを増加することができる。二段式折畳み面ファスナー部材５０aの高さは０.１センチ以上に設計し、使用者が任意に二段式折畳み面ファスナー部材５０aを必要な高さに調整できるようにする。
【実施例３】
【００１６】
以下、図５及び図６の本考案の実施例３を参照する。本実施例において、ノートブックコンピュータ用保護カバー１０bの少なくとも１つの底上げ部材５０は複数の円柱体５０bとして設けられ、面ファスナー方式で下蓋内側３１に固定され、使用者は必要に応じて任意に複数の円柱体５０bの下蓋内側３１内における設置位置を調整することができる。複数の円柱体５０bは４つの角部に設置してノートブックコンピュータを支持し、安定を保つほか、残りはすべて予備としておき、使用者が放熱効果を増強したり、放熱空間を大きくしたりする必要があるとき、複数の円柱体５０bを相互に重ねて１つの部材の支持高さを増加することができる。本実施例において、複数の円柱体５０bの高さは０.１センチ以上に設け、使用者が任意に必要な高さまで重ねて良好な放熱効果が得られるようにする。
【実施例４】
【００１７】
上述の実施例で使用する方式のほか、少なくとも１つの底上げ部材５０は圧縮可能な弾性部材５０cで代替することもできる。以下、図７(a)、(b)の本考案の実施例４の開いた状態及び閉じた状態の断面図を参照する。本実施例において、ノートブックコンピュータ９０をノートブックコンピュータ用保護カバー１０c内に置いて使用するとき、弾性部材５０cがノートブックコンピュータ９０を底上げし、直接下蓋内側３１に接触しないようにして放熱空間を形成し、流れる空気によりノートブックコンピュータ９０が発生する熱を排出することができる。使用完了後にノートブックコンピュータ９０を収納し、ノートブックコンピュータ用保護カバー１０cの上蓋２０を被せるときは、弾性部材５０cが圧力を受けて圧縮され、これにより空間を節約し、ノートブックコンピュータ用保護カバー１０cの厚さを減少することができ、携帯上さらに便利にすることができる。再度ノートブックコンピュータ用保護カバー１０cを開くときは、弾力の回復作用で弾性部材５０cが初期状態を回復することができる。本実施例における弾性部材５０cは、スポンジやバネ、弾性プラスチック等の部材とすることができる。本実施例において、弾性部材５０cの高さは０.３５センチ以上に設け、充分な放熱空間の形成を確保し、良好な放熱効果が得られるようにする。
【実施例５】
【００１８】
続いて図８(a)、(b)の本考案の実施例５の開口部４２を開いた状態及び閉じた状態を参照する。本考案のノートブックコンピュータ用保護カバー１０dの連結部４０には別途開口部４２が開設され、この開口部４２は開閉可能に設計される。ノートブックコンピュータ９０の後ろ側は往々にして多くの外付け周辺設備の各種スロットや電池セットが設置されているため、本考案の開口部４２の設計により、直接開口部４２を利用して各種周辺設備やケーブルの接続または電池の交換を行なうことができ、ノートブックコンピュータ９０をノートブックコンピュータ用保護カバー１０dの中から取り出す必要がない。同時にこの開口部４２は補助的な通気放熱機能を有する。本実施例において、開閉可能な開口部４２は面ファスナー部材４２aの設計とし、普段は面ファスナーで開口部４２を閉じておき、使用する必要があるときは迅速かつ便利に開口部４２を開くことができる。但し、この開口部４２はファスナーやボタン等開閉可能なその他構成とすることができ、上述の実施例に限られないことに注意が必要である。
【００１９】
本考案のノートブックコンピュータ用保護カバー１０の上蓋２０または下蓋３０は、さらに放熱材質構造を含む。ノートブックコンピュータ９０をノートブックコンピュータ用保護カバー１０内に置いて使用するとき、放熱効果を強化するため、上述の実施例で提供される放熱効果を備えた構造のほか、上蓋２０または下蓋３０の一部または全部の区域に熱伝導材質構造を採用し、この熱伝導材質構造を介してノートブックコンピュータ９０が排出する熱エネルギーを伝導し、放熱面積を増加することができ、熱エネルギーが集中しすぎて放熱効果が不足しないようにすることができる。
【００２０】
また、電磁波の使用者に対する影響を効果的に隔絶するため、本考案のノートブックコンピュータ用保護カバー１０の上蓋２０または下蓋３０は、さらに電磁波遮断材質構造を含むことができ、塗布方式で上蓋内側２１、上蓋外側２２、下蓋内側３１または下蓋外側３２に電磁波遮断材料を塗布するか、上蓋２０または下蓋３０の中に電磁波遮断材料層を加えることができる。この設計により、使用者に対する電磁波の潜在的影響の恐れを大幅に減少することができ、より安心してノートブックコンピュータ９０を使用することができる。
【実施例６】
【００２１】
図９に本考案の実施例６の立体図を示す。ノートブックコンピュータ用保護カバー１０eの下蓋外側３２はさらに滑り止め材質構造３３を含むことができる。一般に使用者はノートブックコンピュータを直接ひざの上や机の上に置いて使用するが、滑り止め材質構造３３の作用により、ノートブックコンピュータ用保護カバー１０eの置かれた位置との接触面の摩擦力を増して滑りにくくし、より安定させる効果を得ることができる。
【００２２】
上述のように、本考案はその目的、手段及び効果のいずれにおいても従来技術とは異なる特徴があり、大きな進歩であるため、審査官各位にはご明察の上、一日も早く特許を批准していただき、社会に貢献できるよう願うものである。上述の実施例は例示的に本考案の原理及びその効果を説明するためのものであり、本考案の範囲を制限するものではないことに注意が必要である。関連技術を熟知した人物であれば本考案の技術原理及び要旨を逸脱しない範囲において、実施例に対して修正や変化を行うことが可能である。本考案の権利保護範囲は特許請求の範囲において述べる。
【図面の簡単な説明】
【００２３】
【図１】本考案の実施例１の開いた状態の立体図である。
【図２】本考案の実施例１にノートブックコンピュータを入れた後の立体図である。
【図３】本考案の実施例２の立体図である。
【図４】本考案の実施例２の二段式折畳み面ファスナー部材を畳んだ状態の立体図である。
【図５】本考案の実施例３の立体図である。
【図６】本考案の実施例３の複数の円柱体を重ねた状態の立体図である。
【図７】（ａ）は本考案の実施例４の開いた状態の断面図である。（ｂ）は本考案の実施例４の閉じた状態の断面図である。
【図８】（ａ）は本考案の実施例５の開口部を開いた状態の立体図である。（ｂ）は本考案の実施例５の開口部を閉じた状態の立体図である。
【図９】本考案の実施例６の立体図である。
【符号の説明】
【００２４】
１０、１０a、１０b、１０c、１０d、１０e    ノートブックコンピュータ用保護カバー
２０        上蓋
２１        上蓋内側
２２        上蓋外側
２３        複数のモニタ固定部材
３０        下蓋
３１        下蓋内側
３２        下蓋外側
３３        滑り止め材質構造
４０        連結部
４２        開口部
４２a       面ファスナー部材
５０        底上げ部材
５０a       二段式折畳み面ファスナー部材
５０b       複数の円柱体
５０c       弾性部材
６０        開閉部
９０        ノートブックコンピュータ
【図１】
0003138562.tif 000003
【図２】
0003138562.tif 000004
【図３】
0003138562.tif 000005
【図４】
0003138562.tif 000006
【図５】
0003138562.tif 000007
【図６】
0003138562.tif 000008
【図７】
0003138562.tif 000009
【図８】
0003138562.tif 000010
【図９】
0003138562.tif 000011